【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
詳細案内地図情報と地図情報とを格納した地図配信サーバと地図表示装置とを備え、地図配信サーバは地図データベースに蓄積された地図情報を地図表示装置に送り、地図表示装置が受信した地図情報に基づいて移動するユーザに対して所定の地図表示を行う地図表示システムであって、
現在位置を測位する測位手段と、
前記測位位置を含む地図を前記地図データベースから取得する際に、前記測位位置を含む地図の領域内にある詳細案内地図も同時に取得する取得手段と、
前記測位手段により測位された測位位置を含む地図を表示する表示手段と、
地図上の所定領域を選択する操作入力手段と、
前記測位手段が測位できなくなったとき、最後の測位位置周辺に詳細案内地図を有する特定領域がある場合には、前記表示手段に当該特定領域を選択可能な態様で表示させ、
前記操作入力手段によって前記特定領域が選択された場合は、前記表示手段に前記詳細案内地図を表示させる表示制御手段と、
を備えたことを特徴とする地図表示システム。
【請求項２】
前記表示手段は、前記表示手段に前記詳細案内地図を表示させるとともに、前記最後の測位位置に関する情報も合わせて表示することを特徴とする請求項１に記載の地図表示システム。
【請求項３】
前記最後の測位位置周辺とは、最後に測位された際に前記表示手段に表示された地図の表示範囲であることを特徴とする請求項１に記載の地図表示システム。
【請求項４】
前記最後の測位位置周辺とは、最後に測位された測位位置から所定の距離範囲内であることを特徴とする請求項１に記載の地図表示システム。
【請求項５】
前記最後の測位位置に関する情報は、最後に測位された測位位置を示す位置マークであることを特徴とする請求項１ないし請求項３の何れか１項に記載の地図表示システム。
【請求項６】
前記最後の測位位置に関する情報は、最後に測位された測位位置の方向を示す方向マークであることを特徴とする請求項１ないし請求項３の何れか１項に記載の地図表示システム。
【請求項７】
前記詳細案内地図は、地下街の構内図あるいは建物の案内図であることを特徴とする請求項１ないし請求項６のいずれか１項に記載の地図表示システム。
【請求項８】
前記表示手段は、地図を表示する際に、これまで前記測位手段により測位された測位位置の履歴を表示することを特徴とする請求項１ないし請求項７のいずれか１項に記載の地図表示システム。
【請求項９】
前記表示手段に前記詳細案内地図を表示させる際に、前記最後の測位位置に関する情報に基づいて、前記最後の測位位置を含むように前記詳細案内地図の表示を行うことを特徴とする請求項１ないし請求項８のいずれか１項に記載の地図表示システム。
【請求項１０】
詳細案内地図情報と地図情報とを格納した地図配信サーバから地図データベースに蓄積された地図情報を受信し、受信した地図情報に基づいて移動するユーザに対して所定の地図表示を行う地図表示装置における地図表示方法であって、
測位ができるか否か判定するステップと、
測位ができないと判断された場合に、最後の測位位置周辺に詳細案内地図を有する特定領域があるか否か判定するステップと、
前記特定領域があると判断された場合に、当該特定領域を選択可能な態様で表示させるステップと、
前記特定領域が選択されたか否か判定するステップと、
前記特定領域が選択されたと判断された場合に、前記詳細案内地図を表示させるとともに、最後の測位位置に関する情報も併せて表示させるステップと、
を有することを特徴とする地図表示方法。
【請求項１１】
地図を表示する際に、これまで測位された測位位置の履歴を表示させるステップを含むことを特徴とする請求項１０に記載の地図表示方法。
【請求項１２】
前記測位位置を含む地図を地図データベースから取得する際に、前記詳細案内地図も同時に取得するステップを含むことを特徴とする請求項１０または請求項１１に記載の地図表示方法。
【請求項１３】
詳細案内地図情報と地図情報とを格納した地図データベースに蓄積された地図情報に基づいて移動するユーザに対して所定の地図表示を行わせる地図配信サーバであって、
測位手段により測位された測位位置を含む地図上の所定領域を選択する操作入力を受信する受信手段と、
前記測位手段が測位できなくなったとき、最後の測位位置周辺に詳細案内地図を有する特定領域がある場合には、前記操作入力によって前記特定領域が選択された前記詳細案内地図を表示させる表示制御手段と、
を備えたことを特徴とする地図配信サーバ。
【請求項１４】
詳細案内地図情報と地図情報とを格納した地図配信サーバから地図データベースに蓄積された地図情報を受信し、受信した地図情報に基づいて移動するユーザに対して所定の地図表示を行う地図表示装置であって、
現在位置を測位する測位手段と、
前記測位手段により測位された測位位置を含む地図を表示する表示手段と、
地図上の所定領域を選択する操作入力手段と、
前記測位手段が測位できなくなったとき、最後の測位位置周辺に詳細案内地図を有する特定領域がある場合には、前記表示手段に当該特定領域を選択可能な態様で表示させ、
前記操作入力手段によって前記特定領域が選択された場合は、前記表示手段に前記詳細案内地図を表示させるとともに、前記最後の測位位置に関する情報も併せて表示させる表示制御手段と、
を備えたことを特徴とする地図表示装置。
【請求項１５】
詳細案内地図情報と地図情報とを格納した地図データベースに蓄積された地図情報に基づいて移動するユーザに対して所定の地図表示を行う地図表示システムであって、
現在位置を測位する測位手段と、
前記測位手段により測位された測位位置を含む地図を表示する表示手段と、
地図上の所定領域を選択する操作入力手段と、
前記測位手段が測位できなくなったとき、最後の測位位置周辺に詳細案内地図を有する特定領域がある場合には、前記表示手段に当該特定領域を選択可能な態様で表示させ、
前記操作入力手段によって前記特定領域が選択された場合は、前記表示手段に前記詳細案内地図を表示させる表示制御手段と、
を備えたことを特徴とする地図表示システム。
【手続補正２】
【補正対象書類名】明細書
【補正対象項目名】発明の名称
【補正方法】変更
【補正の内容】
【発明の名称】地図表示システム、地図表示方法、地図配信サーバ、および地図表示装置
【手続補正３】
【補正対象書類名】明細書
【補正対象項目名】０００１
【補正方法】変更
【補正の内容】
【０００１】
本発明は、地図データベースに蓄積された地図情報に基づいて移動するユーザに対して所定の地図表示を行う地図表示システムに関するものであり、特に、地下街地図などをタイミングよくダウンロードし、ＧＰＳ測位が出来ないときに地図の切替えを効率良く行うように構成した地図表示システム、地図表示方法、地図配信サーバ、および地図表示装置に関するものである。
【手続補正４】
【補正対象書類名】明細書
【補正対象項目名】００１４
【補正方法】変更
【補正の内容】
【００１４】
すなわち、本発明は上記の問題点を解消することを課題とし、ＧＰＳ信号が届き難い地下街に入った場合でも、ユーザの所望するスポットの詳細な案内地図をシームレスに表示するとともに、ユーザが所望するスポットの選択のミスも防ぐことができるようにした地図表示システム、地図表示方法、地図配信サーバ、および地図表示装置を提供することを目的とするものである。
【手続補正５】
【補正対象書類名】明細書
【補正対象項目名】００１５
【補正方法】変更
【補正の内容】
【００１５】
前記課題を解決するために、本願の請求項１にかかる発明は、
詳細案内地図情報と地図情報とを格納した地図配信サーバと地図表示装置とを備え、地図配信サーバは地図データベースに蓄積された地図情報を地図表示装置に送り、地図表示装置が受信した地図情報に基づいて移動するユーザに対して所定の地図表示を行う地図表示システムであって、
現在位置を測位する測位手段と、
前記測位位置を含む地図を前記地図データベースから取得する際に、前記測位位置を含む地図の領域内にある詳細案内地図も同時に取得する取得手段と、
前記測位手段により測位された測位位置を含む地図を表示する表示手段と、
地図上の所定領域を選択する操作入力手段と、
前記測位手段が測位できなくなったとき、最後の測位位置周辺に詳細案内地図を有する特定領域がある場合には、前記表示手段に当該特定領域を選択可能な態様で表示させ、
前記操作入力手段によって前記特定領域が選択された場合は、前記表示手段に前記詳細案内地図を表示させる表示制御手段と、
を備えたことを特徴とする。
【手続補正６】
【補正対象書類名】明細書
【補正対象項目名】００１６
【補正方法】変更
【補正の内容】
【００１６】
本願の請求項２にかかる発明は、請求項１にかかる地図表示システムにおいて、前記表示手段は、前記表示手段に前記詳細案内地図を表示させるとともに、前記最後の測位位置に関する情報も合わせて表示することを特徴とする。
【手続補正７】
【補正対象書類名】明細書
【補正対象項目名】００１７
【補正方法】変更
【補正の内容】
【００１７】
本願の請求項３にかかる発明は、請求項１にかかる地図表示システムにおいて、前記最後の測位位置周辺とは、最後に測位された際に前記表示手段に表示された地図の表示範囲であることを特徴とする。
【手続補正８】
【補正対象書類名】明細書
【補正対象項目名】００１８
【補正方法】変更
【補正の内容】
【００１８】
本願の請求項４にかかる発明は、請求項１にかかる地図表示システムにおいて、前記最後の測位位置周辺とは、最後に測位された測位位置から所定の距離範囲内であることを特徴とする。
【手続補正９】
【補正対象書類名】明細書
【補正対象項目名】００１９
【補正方法】変更
【補正の内容】
【００１９】
本願の請求項５にかかる発明は、請求項１ないし請求項３のいずれか１項にかかる地図表示システムにおいて、前記最後の測位位置に関する情報は、最後に測位された測位位置を示す位置マークであることを特徴とする。
【手続補正１０】
【補正対象書類名】明細書
【補正対象項目名】００２０
【補正方法】変更
【補正の内容】
【００２０】
本願の請求項６にかかる発明は、請求項１ないし請求項３のいずれか１項にかかる地図表示システムにおいて、前記最後の測位位置に関する情報は、最後に測位された測位位置の方向を示す方向マークであることを特徴とする。
【手続補正１１】
【補正対象書類名】明細書
【補正対象項目名】００２１
【補正方法】変更
【補正の内容】
【００２１】
本願の請求項７にかかる発明は、請求項１ないし請求項６のいずれか１項にかかる地図表示システムにおいて、前記詳細案内地図は、地下街の構内図あるいは建物の案内図であることを特徴とする。
【手続補正１２】
【補正対象書類名】明細書
【補正対象項目名】００２２
【補正方法】変更
【補正の内容】
【００２２】
本願の請求項８にかかる発明は、請求項１ないし請求項７のいずれか１項にかかる地図表示システムにおいて、前記表示手段は、地図を表示する際に、これまで前記測位手段により測位された測位位置の履歴を表示することを特徴とする。
【手続補正１３】
【補正対象書類名】明細書
【補正対象項目名】００２３
【補正方法】変更
【補正の内容】
【００２３】
本願の請求項９にかかる発明は、請求項１ないし請求項８のいずれか１項にかかる地図表示システムにおいて、前記表示手段に前記詳細案内地図を表示させる際に、前記最後の測位位置に関する情報に基づいて、前記最後の測位位置を含むように前記詳細案内地図の表示を行うことを特徴とする。
【手続補正１４】
【補正対象書類名】明細書
【補正対象項目名】００２４
【補正方法】変更
【補正の内容】
【００２４】
本願の請求項１０にかかる発明は、
詳細案内地図情報と地図情報とを格納した地図配信サーバから地図データベースに蓄積された地図情報を受信し、受信した地図情報に基づいて移動するユーザに対して所定の地図表示を行う地図表示装置における地図表示方法であって、
測位ができるか否か判定するステップと、
測位ができないと判断された場合に、最後の測位位置周辺に詳細案内地図を有する特定領域があるか否か判定するステップと、
前記特定領域があると判断された場合に、当該特定領域を選択可能な態様で表示させるステップと、
前記特定領域が選択されたか否か判定するステップと、
前記特定領域が選択されたと判断された場合に、前記詳細案内地図を表示させるとともに、最後の測位位置に関する情報も併せて表示させるステップと、
を有することを特徴とする。
【手続補正１５】
【補正対象書類名】明細書
【補正対象項目名】００２５
【補正方法】変更
【補正の内容】
【００２５】
本願の請求項１１にかかる発明は、請求項１０にかかる地図表示方法において、地図を表示する際に、これまで測位された測位位置の履歴を表示させるステップを含むことを特徴とする。
【手続補正１６】
【補正対象書類名】明細書
【補正対象項目名】００２６
【補正方法】変更
【補正の内容】
【００２６】
本願の請求項１２にかかる発明は、請求項１０ないし請求項１１の何れか１項にかかる地図表示方法において、前記測位位置を含む地図を地図データベースから取得する際に、前記詳細案内地図も同時に取得するステップを含むことを特徴とする。
【手続補正１７】
【補正対象書類名】明細書
【補正対象項目名】００２７
【補正方法】変更
【補正の内容】
【００２７】
本願の請求項１３にかかる発明は、
詳細案内地図情報と地図情報とを格納した地図データベースに蓄積された地図情報に基づいて移動するユーザに対して所定の地図表示を行わせる地図配信サーバであって、
測位手段により測位された測位位置を含む地図上の所定領域を選択する操作入力手段と、
前記測位手段が測位できなくなったとき、最後の測位位置周辺に詳細案内地図を有する特定領域がある場合には、前記操作入力手段によって前記特定領域が選択された前記詳細案内地図を表示させる表示制御手段と、
を備えたことを特徴とする。
【手続補正１８】
【補正対象書類名】明細書
【補正対象項目名】００２８
【補正方法】変更
【補正の内容】
【００２８】
本願の請求項１４にかかる発明は、
詳細案内地図情報と地図情報とを格納した地図配信サーバから地図データベースに蓄積された地図情報を受信し、受信した地図情報に基づいて移動するユーザに対して所定の地図表示を行う地図表示装置であって、
現在位置を測位する測位手段と、
前記測位手段により測位された測位位置を含む地図を表示する表示手段と、
地図上の所定領域を選択する操作入力手段と、
前記測位手段が測位できなくなったとき、最後の測位位置周辺に詳細案内地図を有する特定領域がある場合には、前記表示手段に当該特定領域を選択可能な態様で表示させ、
前記操作入力手段によって前記特定領域が選択された場合は、前記表示手段に前記詳細案内地図を表示させるとともに、前記最後の測位位置に関する情報も併せて表示させる表示制御手段と、
を備えたことを特徴とする。
【手続補正１９】
【補正対象書類名】明細書
【補正対象項目名】００２９
【補正方法】変更
【補正の内容】
【００２９】
本願の請求項１５にかかる発明は、
詳細案内地図情報と地図情報とを格納した地図データベースに蓄積された地図情報に基づいて移動するユーザに対して所定の地図表示を行う地図表示システムであって、
現在位置を測位する測位手段と、
前記測位手段により測位された測位位置を含む地図を表示する表示手段と、
地図上の所定領域を選択する操作入力手段と、
前記測位手段が測位できなくなったとき、最後の測位位置周辺に詳細案内地図を有する特定領域がある場合には、前記表示手段に当該特定領域を選択可能な態様で表示させ、
前記操作入力手段によって前記特定領域が選択された場合は、前記表示手段に前記詳細案内地図を表示させる表示制御手段と、
を備えたことを特徴とする。
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】変更
【補正の内容】
【００３４】
請求項１あるいは請求項１５にかかる発明においては、測位手段による測位ができるか否か判定し、測位手段による測位ができないと判断された場合に、最後の測位位置周辺に詳細案内地図を有する特定領域があるか否か判定し、特定領域があると判断された場合に、表示手段に当該特定領域を選択可能な態様で表示させ、操作入力手段により特定領域が選択されたか否か判定し、特定領域が選択されたと判断された場合に、表示手段に詳細案内地図を表示させるとともに、最後の測位位置に関する情報も併せて表示させるように構成した。
【手続補正２５】
【補正対象書類名】明細書
【補正対象項目名】００３６
【補正方法】変更
【補正の内容】
【００３６】
請求項２にかかる発明においては、請求項１にかかる地図表示システムにおいて、前記表示手段は、前記表示手段に前記詳細案内地図を表示させるとともに、前記最後の測位位置に関する情報も合わせて表示するように構成した。
【手続補正２６】
【補正対象書類名】明細書
【補正対象項目名】００３７
【補正方法】変更
【補正の内容】
【００３７】
このような構成によれば、測位手段による測位ができない場所に移動したときでも、最後の測位位置に関する情報を、詳細案内地図と合わせて表示することができる。
【手続補正２７】
【補正対象書類名】明細書
【補正対象項目名】００３８
【補正方法】変更
【補正の内容】
【００３８】
請求項３にかかる発明においては、請求項１にかかる地図表示システムにおいて、前記最後の測位位置周辺とは、最後に測位された際に前記表示手段に表示された地図の表示範囲であるように構成した。
【手続補正２８】
【補正対象書類名】明細書
【補正対象項目名】００３９
【補正方法】変更
【補正の内容】
【００３９】
このような構成によれば、測位手段による測位ができない場所へ移動した場合でも、最後に測位された際に表示手段に表示された地図の表示範囲にあるユーザが所望する特定領域の詳細な案内地図をシームレスに表示することが可能となる。また、最後の測位位置に関する情報も併せて表示するので、ユーザが所望する特定領域の選択のミスも防ぐことも可能になる。
【手続補正２９】
【補正対象書類名】明細書
【補正対象項目名】００４０
【補正方法】変更
【補正の内容】
【００４０】
請求項４にかかる発明においては、請求項１にかかる地図表示システムにおいて、前記最後の測位位置周辺とは、最後に測位された測位位置から所定の距離範囲内であるように構成した。
【手続補正３０】
【補正対象書類名】明細書
【補正対象項目名】００４１
【補正方法】変更
【補正の内容】
【００４１】
このような構成によれば、測位手段による測位ができない場所へ移動した場合でも、最後に測位された測位位置から所定の距離範囲内にあるユーザが所望する特定領域の詳細な案内地図をシームレスに表示することが可能となる。また、最後の測位位置に関する情報も併せて表示するので、ユーザが所望する特定領域の選択のミスも防ぐことも可能になる。
【手続補正３１】
【補正対象書類名】明細書
【補正対象項目名】００４２
【補正方法】変更
【補正の内容】
【００４２】
請求項５にかかる発明においては、請求項１ないし請求項３のいずれか１項にかかる地図表示システムにおいて、前記最後の測位位置に関する情報は、最後に測位された測位位置を示す位置マークであるように構成した。
【手続補正３２】
【補正対象書類名】明細書
【補正対象項目名】００４３
【補正方法】変更
【補正の内容】
【００４３】
このような構成によれば、測位手段による測位ができない場所へ移動した場合でも、最後の測位位置周辺にあるユーザが所望する特定領域の詳細な案内地図をシームレスに表示することが可能となる。また、最後に測位された測位位置を示す位置マークも併せて表示するので、ユーザが所望する特定領域の選択のミスも防ぐことも可能になる。
【手続補正３３】
【補正対象書類名】明細書
【補正対象項目名】００４４
【補正方法】変更
【補正の内容】
【００４４】
請求項６にかかる発明において、請求項１ないし請求項３のいずれか１項にかかる地図表示システムにおいて、前記最後の測位位置に関する情報は、最後に測位された測位位置の方向を示す方向マークであるように構成した。
【手続補正３４】
【補正対象書類名】明細書
【補正対象項目名】００４５
【補正方法】変更
【補正の内容】
【００４５】
このような構成によれば、測位手段による測位ができない場所へ移動した場合でも、最後の測位位置周辺にあるユーザが所望する特定領域の詳細な案内地図をシームレスに表示することが可能となる。また、最後に測位された測位位置の方向を示す方向マークも併せて表示するので、ユーザが所望する特定領域の選択のミスも防ぐことも可能になる。
【手続補正３５】
【補正対象書類名】明細書
【補正対象項目名】００４６
【補正方法】変更
【補正の内容】
【００４６】
請求項７にかかる発明において、請求項１ないし請求項６のいずれか１項にかかる地図表示システムにおいて、前記詳細案内地図は、地下街の構内図あるいは建物の案内図であるように構成した。
【手続補正３６】
【補正対象書類名】明細書
【補正対象項目名】００４７
【補正方法】変更
【補正の内容】
【００４７】
このような構成によれば、測位手段による測位ができない場所へ移動した場合でも、最後の測位位置周辺にあるユーザが所望する地下街の構内図あるいは建物の案内図をシームレスに表示することが可能となる。また、最後の測位位置に関する情報も併せて表示するので、ユーザが所望する地下街の構内図あるいは建物の案内図の選択のミスも防ぐことも可能になる。
【手続補正３７】
【補正対象書類名】明細書
【補正対象項目名】００４８
【補正方法】変更
【補正の内容】
【００４８】
請求項８にかかる発明において、請求項１ないし請求項７のいずれか１項にかかる地図表示システムにおいて、前記表示手段は、地図を表示する際に、これまで前記測位手段により測位された測位位置の履歴を表示するように構成した。
このような構成によれば、測位手段による測位ができない場所へ移動した場合でも、最後の測位位置周辺にあるユーザが所望する特定領域の詳細な案内地図をシームレスに表示することが可能となる。また、測位手段により測位された測位位置の履歴も併せて表示するので、ユーザが所望する特定領域の選択のミスも防ぐことも可能になる。
【手続補正３８】
【補正対象書類名】明細書
【補正対象項目名】００４９
【補正方法】変更
【補正の内容】
【００４９】
請求項９にかかる発明において、請求項１ないし請求項８のいずれか１項にかかる地図表示システムにおいて、前記表示手段に前記詳細案内地図を表示させる際に、前記最後の測位位置に関する情報に基づいて、前記最後の測位位置を含むように前記詳細案内地図の表示を行うように構成した。
このような構成によれば、測位手段による測位ができない場所へ移動した場合でも、最後の測位位置に関する情報に基づいて、前記最後の測位位置を含むように案内地図モードで前記詳細案内地図を表示するので、測位手段によって取得された最後の測位位置が表示されて、建物のどちらの方向からユーザが入ってきたか分かりやすく表示できる。
【手続補正３９】
【補正対象書類名】明細書
【補正対象項目名】００５０
【補正方法】変更
【補正の内容】
【００５０】
また、請求項１０ないし請求項１２にかかる発明においては、それぞれ請求項１ないし請求項９にかかる地図表示システムを実現するための地図表示方法を提供することができ、請求項１３にかかる発明においては、請求項１ないし請求項９、請求項１５にかかる地図表示システムを実現する地図配信サーバを提供することができ、請求項１４にかかる発明においては、請求項１ないし請求項９、請求項１５にかかる地図表示システムを構成する地図表示端末装置を提供することができるようになる。
【手続補正４０】
【補正対象書類名】明細書
【補正対象項目名】００５１
【補正方法】変更
【補正の内容】
【００５１】
以下、本発明の具体例を実施例及び図面を用いて詳細に説明する。但し、以下に示す実施例においては本発明の技術思想を具体化するためのナビゲーションシステム、地図表示方法および携帯端末装置を例示するものであって、本発明をこのナビゲーションシステム、地図表示方法および携帯端末装置に特定することを意図するものではなく、特許請求の範囲に含まれるその他の実施形態の地図表示システム、地図表示方法、地図配信サーバおよび地図表示装置にも等しく適用し得るものである。